(57)【要約】少なくとも一つのスロットからなる制御チャネルを介してオーバーヘッドメッセージを転送する方法を提供する。基地局は、移動局にオーバーヘッドメッセージを提供するためにオーバーヘッドスロット周期インデックスを転送し、移動局は前記オーバーヘッドスロット周期インデックスを受信してオーバーヘッドスロット周期を決定する。そして、基地局は、前記スロットの可変的な長さによってそれぞれのオーバーヘッドスロット周期の一番目のスロットでオーバーヘッドメッセージを転送し、移動局は、前記スロットの可変的な長さによってそれぞれのオーバーヘッドスロット周期の一番目のスロットでオーバーヘッドメッセージを受信する。
2008536355.tif 000002
【特許請求の範囲】
【請求項１】
少なくとも一つのスロットからなる制御チャネルを介してオーバーヘッドメッセージを転送する方法において、
移動局がオーバーヘッドスロット周期を決定するようにオーバーヘッドスロット周期インデックスを転送する段階と、
オーバーヘッドスロット周期が繰り返し使用される場合に、前記スロットの可変的な長さ及び前記オーバーヘッドスロット周期インデックスに基づいて移動局によって決定されたオーバーヘッドスロット周期に関する情報を受信する段階と、
前記受信した情報から提供されたそれぞれのオーバーヘッドスロット周期の一番目のスロットでオーバーヘッドメッセージを転送する段階と、
を含む、オーバーヘッドメッセージ転送方法。
【請求項２】
前記スロットは、第１の放送制御チャネル（Ｐ−ＢＣＣＨ）の任意のスロットであることを特徴とする、請求項１に記載のオーバーヘッドメッセージ転送方法。
【請求項３】
前記それぞれのオーバーヘッドスロット周期の一番目のスロットは、
第１の放送制御チャネル（Ｐ−ＢＣＣＨ）フレームとオーバーヘッドスロット周期を同期化させるために式
【数１】
2008536355.tif 000013
によって決定され、第１の放送制御チャネル（Ｐ−ＢＣＣＨ）フレーム長は４０ｍｓで、前記スロットの可変的な長さは４０ｍｓであることを特徴とする、請求項１に記載のオーバーヘッドメッセージ転送方法。
【請求項３】
前記それぞれのオーバーヘッドスロット周期の一番目のスロットは、
式
【数２】
2008536355.tif 000014
によって決定され、前記スロットの可変的な長さは４０ｍｓであることを特徴とする、請求項１に記載のオーバーヘッドメッセージ転送方法。
【請求項４】
前記ｔは、２０ｍｓフレーム単位のシステム時間を表し、Ｂ＋１は、オーバーヘッドスロット周期の長さを表すことを特徴とする、請求項３に記載のオーバーヘッドメッセージ転送方法。
【請求項５】
前記Ｂは、ＭＣ−ＲＲ（Ｍｕｌｔｉ−Ｃａｒｒｉｅｒ  Ｒａｄｉｏ  Ｒｅｓｏｕｒｃｅ）パラメータメッセージに含まれたパラメータによって決定されることを特徴とする、請求項３に記載のオーバーヘッドメッセージ転送方法。
【請求項６】
前記それぞれのオーバーヘッドスロット周期の一番目のスロットは、
第１の放送制御チャネル（Ｐ−ＢＣＣＨ）フレームとオーバーヘッドスロット周期を同期化させるために式
【数３】
2008536355.tif 000015
によって決定され、第１の放送制御チャネル（Ｐ−ＢＣＣＨ）フレーム長は４０ｍｓで、前記スロットの可変的な長さは８０ｍｓであることを特徴とする、請求項１に記載のオーバーヘッドメッセージ転送方法。
【請求項６】
前記それぞれのオーバーヘッドスロット周期の一番目のスロットは、
式
【数４】
2008536355.tif 000016
によって決定され、前記スロットの可変的な長さは８０ｍｓであることを特徴とする、請求項１に記載のオーバーヘッドメッセージ転送方法。
【請求項７】
前記ｔは、２０ｍｓフレーム単位のシステム時間を表し、Ｂ＋１は、オーバーヘッドスロット周期の長さを表すことを特徴とする、請求項６に記載のオーバーヘッドメッセージ転送方法。
【請求項８】
前記Ｂは、ＭＣ−ＲＲ（Ｍｕｌｔｉ−Ｃａｒｒｉｅｒ  Ｒａｄｉｏ  Ｒｅｓｏｕｒｃｅ）パラメータメッセージに含まれたパラメータによって決定されることを特徴とする、請求項６に記載のオーバーヘッドメッセージ転送方法。
【請求項９】
前記それぞれのオーバーヘッドスロット周期の一番目のスロットは、
第１の放送制御チャネル（Ｐ−ＢＣＣＨ）フレームとオーバーヘッドスロット周期を同期化させるために式
【数５】
2008536355.tif 000017
によって決定され、第１の放送制御チャネル（Ｐ−ＢＣＣＨ）フレーム長は４０ｍｓで、前記スロットの可変的な長さは１６０ｍｓであることを特徴とする、請求項１に記載のオーバーヘッドメッセージ転送方法。
【請求項９】
前記それぞれのオーバーヘッドスロット周期の一番目のスロットは、
式
【数６】
2008536355.tif 000018
によって決定され、前記スロットの可変的な長さは１６０ｍｓであることを特徴とする、請求項１に記載のオーバーヘッドメッセージ転送方法。
【請求項１０】
前記ｔは、２０ｍｓフレーム単位のシステム時間を表し、Ｂ＋１は、オーバーヘッドスロット周期の長さを表すことを特徴とする、請求項９に記載のオーバーヘッドメッセージ転送方法。
【請求項１１】
前記Ｂは、ＭＣ−ＲＲ（Ｍｕｌｔｉ−Ｃａｒｒｉｅｒ  Ｒａｄｉｏ  Ｒｅｓｏｕｒｃｅ）パラメータメッセージに含まれたパラメータによって決定されることを特徴とする、請求項６に記載のオーバーヘッドメッセージ転送方法。
【請求項１２】
前記オーバーヘッドスロット周期は、
ブロードキャスト／マルチキャストサービス（ＢＣＭＣＳ）システムパラメータメッセージ（ＢＳＰＭ）スロット周期であることを特徴とする、請求項１に記載のオーバーヘッドメッセージ転送方法。
【請求項１３】
少なくとも一つのスロットからなる制御チャネルを介してオーバーヘッドメッセージを受信する方法において、
オーバーヘッドスロット周期を決定するために基地局からオーバーヘッドスロット周期インデックスを受信する段階と、
前記スロットの可変的な長さ及び前記基地局から受信したオーバーヘッドスロット周期インデックスに基づいてオーバーヘッドスロット周期を決定する段階と、
前記決定されたオーバーヘッドスロット周期の情報を基地局に転送する段階と、
それぞれのオーバーヘッドスロット周期の一番目のスロットでオーバーヘッドメッセージを受信する段階と、
を含むオーバーヘッドメッセージ受信方法。
【発明の詳細な説明】
【技術分野】
【０００１】
本発明は、オーバーヘッドメッセージ転送方法に係り、より詳細には、制御チャネルのフレームとオーバーヘッドメッセージフレームのスロットとを一致させて無線移動通信システムでオーバーヘッドメッセージを転送する方法に関する。
【背景技術】
【０００２】
本発明は、ＣＤＭＡ２０００システム及び移動局（ｍｏｂｉｌｅ  ｓｔａｔｉｏｎｓ）でブロードキャスト／マルチキャストのためのオーバーヘッドメッセージの転送及び受信スロットを決定することに関連する。ブロードキャスト／マルチキャスト（Ｂｒｏａｄｃａｓｔ／Ｍｕｌｔｉｃａｓｔ）転送は、一つのソースから多重ソースにデータを転送できる方法である。ブロードキャストモードでは、サービス領域中の全ての移動局がブロードキャスト受信モードになるとブロードキャストデータを受信可能になる。一方、マルチキャストモードでは、サービス領域中の移動局が特定マルチキャストサービスに加入すると、データを受信可能になる。
【０００３】
ＣＤＭＡ２０００のブロードキャスト／マルチキャストサービス（Ｂｒｏａｄｃａｓｔ  Ｍｕｌｔｉｃａｓｔ  Ｓｅｒｖｉｃｅ；以下、‘ＢＣＭＣＳ’という。）は、次のような３つのカテゴリによって説明されることができる。
【０００４】
第一のカテゴリは、待機モードにある移動局が共有する順方向ブロードキャスト付加チャネル（Ｆｏｒｗａｒｄ  Ｂｒｏａｄｃａｓｔ  Ｓｕｐｐｌｅｍｅｎｔａｌ  Ｃｈａｎｎｅｌ；以下、‘Ｆ−ＢＳＣＨ’という。）を用いてＢＣＭＣＳを行うことと関連する。このＦ−ＢＳＣＨは、ブロードキャスト環境に適合しており、同時にデータを不特定多数の移動局に放送するのに有用である。また、トラヒックチャネルが割り当てられる以前の待機モードにある不特定多数の移動局に情報を転送するから、セルの境界付近にある移動局もブロードキャスト情報を受信できるように基地局（ｂａｓｅ  ｓｔａｔｉｏｎ）転送電力中の一部を固定的に割り当てなければならない。
【０００５】
第二のカテゴリは、トラヒック受信モードにある移動局が共有する順方向ブロードキャスト基本チャネル（Ｆｏｒｗａｒｄ  Ｂｒｏａｄｃａｓｔ  Ｆｕｎｄａｍｅｎｔａｌ  Ｃｈａｎｎｅｌ；以下、‘Ｆ−ＢＦＣＨ’という。）を用いてＢＣＭＣＳを行うことと関連する。このＦ−ＢＦＣＨを用いる方法は、特定多数の移動局に情報を転送するのに有用であるという点でＰＴＴ（Ｐｕｓｈ−Ｔｏ−Ｔａｌｋ）と似ている。ここで、トラヒックチャネルをまず受信した後に、情報を転送できるようになる。Ｆ−ＢＦＣＨの転送電力は、このチャネルを共有する移動局の状態によって制御されるので、より効率的な電力制御が可能である。
【０００６】
第三のカテゴリは、トラヒック受信モードにある移動局が共有する順方向放送付加チャネル（Ｆ−ＢＳＣＨ）を用いてＢＣＭＣＳを行うことと関連する。このＦ−ＢＳＣＨは、セル内でブロードキャスト受信モードにある少ない数の移動局に情報を転送するのに有用である。結果として、ブロードキャストサービス転送のための電力消費が少ない他、少ない数のウォルシュコードが使用される。
【０００７】
移動局がＢＣＭＣＳを受信するために、
各移動局は、基地局からブロードキャスト／マルチキャストサービスに関連する情報、ブロードキャスト／マルチキャストサービスを転送するために用いられるチャネルの情報（例えば、周波数、ウォルシュコード、データ率、フレーム大きさ、パブリックロングコードマスク）、移動局の登録と関連する情報などを受信しなければならない。これらの情報は通常、オーバーヘッドメッセージを介して周期的に転送されるが、例えば、ブロードキャスト／マルチキャストパラメータメッセージ（ＢＣＭＣ  Ｓｅｒｖｉｃｅ  Ｐａｒａｍｅｔｅｒｓ  Ｍｅｓｓａｇｅ；以下、‘ＢＳＰＭ’という。）を介して転送されることができる。ＢＣＭＣＳを受信するためのモードにある移動局は、ＢＳＰＭのようなオーバーヘッドメッセージを受信する。
【０００８】
より詳細には、ＢＳＰＭは、ページングチャネル（Ｐａｇｉｎｇ  Ｃｈａｎｎｅｌ；以下、‘ＰＣＨ’という。）または第１の放送制御チャネル（Ｐｒｉｍａｒｙ  Ｂｒｏａｄｃａｓｔ  Ｃｏｎｔｒｏｌ  Ｃｈａｎｎｅｌ；以下、‘Ｐ−ＢＣＣＨ’という。）を介して周期的に転送されることができる。図１は、ＰＣＨを介してＢＳＰＭを転送する一方法を示す。図１でＢＳＰＭ＿ＰＥＲＩＯＤ＿ＩＮＤＥＸ値は２である。そして、その転送周期は（Ｂ＋１）ＰＣＨスロット（ｓｌｏｔ）によって定義され、Ｂは式１によって決定される。
【０００９】
【数７】
2008536355.tif 000003
式１において、ｉ値は、拡張システムパラメータメッセージ（Ｅｘｔｅｎｄｅｄ  Ｓｙｓｔｅｍ  Ｐａｒａｍｅｔｅｒｓ  Ｍｅｓｓａｇｅ）に含まれたＢＳＰＭ＿ＰＥＲＩＯＤ＿ＩＮＤＥＸ値を介して転送される。
【００１０】
一方、各ＢＳＰＭ転送周期の一番目のスロットを決定するには、式２を満足しなければならない。
【００１１】
【数８】
2008536355.tif 000004
式２において、ｔは、ＰＣＨフレーム単位のシステム時間（ｓｙｓｔｅｍ  ｔｉｍｅ）を表す。そして、システム時間を４つのスロットに分ける理由は、ＰＣＨフレーム（ｆｒａｍｅ）長とＰＣＨスロット（ｓｌｏｔ）長が相互に異なるためである。すなわち、ＰＣＨフレーム長は２０ｍｓであり、ＰＣＨスロット長は８０ｍｓであるので、ＢＳＰＭスロット周期をＰＣＨスロット単位で表現するためにシステム時間を４つのスロットに分ける。上記の式２によれば、図１に示すように、ＢＳＰＭスロット周期はＰＣＨスロット単位と同期化されることができる。
【００１２】
図２は、Ｐ−ＢＣＣＨを介してＢＳＰＭを転送する一方法を示す。図２で、ＢＳＰＭ＿ＰＥＲＩＯＤ＿ＩＮＤＥＸ値は２であり、ＢＣＣＨスロット長は８０ｍｓである。そして、ＢＳＰＭのスロット周期の長さは（Ｂ＋１）ＢＣＣＨスロットであり、Ｂは、式３によって決定される。
【００１３】
【数９】
2008536355.tif 000005
式３で、ｉ値はＭＣ−ＲＲパラメータメッセージ（Ｍｕｌｔｉ−Ｃａｒｒｉｅｒ  Ｒａｄｉｏ  Ｒｅｓｏｕｒｃｅ  Ｐａｒａｍｅｔｅｒｓ  Ｍｅｓｓａｇｅ）に含まれたＢＳＰＭ＿ＰＥＲＩＯＤ＿ＩＮＤＥＸ値を介して転送される。
【００１４】
一方、各ＢＳＰＭスロット周期の最初のスロットを決定するためには、式４を満足しなければならない。
【００１５】
【数１０】
2008536355.tif 000006
式４で、ｔは、ＢＣＣＨフレーム単位のシステム時間（ｓｙｓｔｅｍ  ｔｉｍｅ）を表す。図２で、ＢＣＣＨ長は４０ｍｓであり、ＢＣＣＨスロットは８０ｍｓである。上記の式４によってＢＳＰＭスロット周期の一番目のスロットを演算すると、ＢＣＣＨフレームスロットは同期化されない。これには問題がある。すなわち、ＢＳＰＭスロット周期の一番目のスロットの長さは、ＢＣＣＨデータ率に基づいて４０ｍｓ、８０ｍｓまたは１６０ｍｓのいずれかから選択されることができるので、ＢＳＰＭスロット周期の一番目のスロットをＢＣＣＨスロットと同期化させることができない。要するに、オーバーヘッドメッセージ転送周期のスロットをＢＣＣＨスロットと一致させることができない。
【発明の開示】
【発明が解決しようとする課題】
【００１６】
したがって、本発明は、従来技術の制約と短所に起因する１以上の問題点を実質的に解消するためのもので、無線移動通信システムでオーバーヘッドメッセージを転送する方法に関する。
【００１７】
本発明の一目的は、少なくとも一つのスロットを持つ制御チャネルを介してオーバーヘッドメッセージを転送する方法を提供することにある。
【００１８】
本発明の他の目的は、少なくとも一つのスロットを持つ制御チャネルを介してオーバーヘッドメッセージを受信する方法を提供することにある。
【００１９】
本発明の追加的な長所、目的及び特徴は、下記の記載で部分的に説明され、部分的には下記の説明に係る技術分野における通常の知識を持つ者に自明になり、または、本発明の実施によって明らかになるだろう。本発明の目的及び他の長所は、下記の詳細な説明、添付図面、請求項で特別に指摘された構造によって実現または達成されることができる。
【課題を解決するための手段】
【００２０】
ここに具体化され包括的に説明されるように、かかる目的及び他の長所を実現し、本発明の目的と一致させるために、少なくとも一つのスロットを持つ制御チャネルを介してオーバーヘッドメッセージを転送する方法は、移動局にオーバーヘッドメッセージを提供するためにオーバーヘッドスロット周期インデックスを転送し、オーバーヘッドスロット周期インデックスを受信し、オーバーヘッドスロット周期を決定する過程を含む。そして、前記方法は、スロットの可変的な長さ（ｄｕｒａｔｉｏｎ）によって各オーバーヘッドスロット周期の一番目のスロットでオーバーヘッドメッセージを転送し、スロットの可変的な長さ（ｄｕｒａｔｉｏｎ）によって各オーバーヘッドスロット周期の一番目のスロットでオーバーヘッドメッセージを受信する過程を含む。
【００２１】
本発明の他の様相として、少なくとも一つのスロットを持つ制御チャネルを介してオーバーヘッドメッセージを受信する方法は、基地局にオーバーヘッドメッセージを提供するためにオーバーヘッドスロット周期インデックスを受信し、オーバーヘッドスロット周期インデックスを転送する過程を含む。そして、前記方法は、スロットの可変的な長さによって基地局によって決定されたそれぞれのオーバーヘッドスロット周期の一番目のスロットでオーバーヘッドメッセージを受信し、スロットの可変的な長さによる各オーバーヘッドスロット周期の一番目のスロットでオーバーヘッドメッセージを転送する過程を含む。
【００２２】
本発明についての上記の包括的な説明及び下記の詳細な説明はいずれも例示的で説明的なもので、請求項に記載された本発明を付加的に説明するためのものとして理解されるべきである。
【発明を実施するための最良の形態】
【００２３】
以下、本発明の好適な実施例について、添付の図面を参照しつつ詳細に説明する。図面中、同一の構成要素には可能な限り同一の参照符号を付する。
【００２４】
ＢＣＣＨで、最大８個のスロットが割り当てられることができるが、各ＢＣＣＨは放送制御チャネル番号（Ｂｒｏａｄｃａｓｔ  Ｃｏｎｔｒｏｌ  Ｃｈａｎｎｅｌ  Ｎｕｍｂｅｒ；以下、‘ＢＣＮ’という。）で区分できる。ＢＣＮが１であるＢＣＣＨは、Ｐ−ＢＣＣＨであり、オーバーヘッドメッセージを転送するのに使われる。そして、ＢＣＮが２のＢＣＣＨは、Ｓ−ＢＣＣＨ（Ｓｅｃｏｎｄａｒｙ  ＢＣＣＨ）で、放送メッセージを転送するのに使われる。ＢＳＰＭは、ＢＣＭＣＳを転送するために使われるオーバーヘッドメッセージであり、Ｐ−ＢＣＣＨを介して転送されることができる。
【００２５】
ＢＣＣＨの転送データ率は、同期チャネルメッセージ（Ｓｙｎｃ  Ｃｈａｎｎｅｌ  Ｍｅｓｓａｇｅ）に含まれたＢＣＣＨデータレートによって決定されるもので、４，８００ｂｐｓ、９，６００ｂｐｓまたは１９，２００ｂｐｓのいずれかのデータレートになりうる。
【００２６】
ＢＣＣＨのフレームは、長さ４０ｍｓの複数のスロットで構成される。ＢＣＣＨのスロットは、上記ＢＣＣＨ転送データ率に基づいて４０ｍｓ、８０ｍｓまたは１６０ｍｓのいずれかの長さ（ｄｕｒａｔｉｏｎ）になりうる。すなわち、ＢＣＣＨ転送データ率が１９，２００ｂｐｓであれば、ＢＣＣＨスロット長は４０ｍｓとなる。また、ＢＣＣＨ転送データ率が９，６００ｂｐｓ、４，８００ｂｐｓであれば、ＢＣＣＨスロット長はそれぞれ８０ｍｓ、１６０ｍｓとなる。
【００２７】
上記のように、ＢＣＣＨスロット長がＢＣＣＨデータ率によって異なるため、ＢＳＰＭスロット周期の一番目のスロットは、ＢＣＣＨスロット長によって修正または調整されることができる。
【００２８】
図３は、Ｐ−ＢＣＣＨを介してＢＳＰＭを転送する一例を示す。図３で、ＢＳＰＭ＿ＰＥＲＩＯＤ＿ＩＮＤＥＸは２で、Ｐ−ＢＣＣＨスロット長は４０ｍｓである。
【００２９】
本実施例において、システム時間（ｓｙｓｔｍｅ  ｔｉｍｅ）に該当するＰ−ＢＣＣＨフレームの長さが４０ｍｓで、Ｐ−ＢＣＣＨスロット長が４０ｍｓであるので、、システム時間に関するＢＳＰＭ転送スロット周期の一番目のスロットは、式５を満足する時点と決定されるることができる。
【００３０】
【数１１】
2008536355.tif 000007
式５で、Ｂは、上記式３のように決定され、ｔは、Ｐ−ＢＣＣＨフレームによるシステム時間（ｓｙｓｔｅｍ  ｔｉｍｅ）を表す。式５を用いてＢＳＰＭ転送スロット周期の一番目のスロットを決定すると、図３に示すように、ＢＳＰＭスロット周期はＰ−ＢＣＣＨのフレームと同期化されることができる。
【００３１】
より詳細には、例えば、Ｐ−ＢＣＣＨスロット長が４０ｍｓで、システム時間のＰ−ＢＣＣＨフレーム長も４０ｍｓであるので、これら両者間に一対一対応が存在する。このように、ＢＳＰＭスロット周期はＰ−ＢＣＣＨフレームと対応して同期化されることができる。
【００３２】
図４は、本発明の第２の実施例によるＰ−ＢＣＣＨを介してＢＳＰＭを転送する方法の一例を示す。図４で、ＢＳＰＭ＿ＰＥＲＩＯＤ＿ＩＮＤＥＸ値は２で、Ｐ−ＢＣＣＨスロット長は８０ｍｓである。
【００３３】
本実施例において、システム時間（ｓｙｓｔｍｅ  ｔｉｍｅ）に該当するＰ−ＢＣＣＨフレーム長は４０ｍｓであり、Ｐ−ＢＣＣＨスロット長は８０ｍｓであるので、図３に示すように、一対一対応が存在しない。したがって、システム時間に関するＢＳＰＭ転送スロット周期の一番目のスロットは、式６を満足する時点と決定される。
【００３４】
【数１２】
2008536355.tif 000008
式６で、Ｂは、式３のように決定され、ｔは、Ｐ−ＢＣＣＨフレームによるシステム時間（ｓｙｓｔｅｍ  ｔｉｍｅ）を表す。
【００３５】
式６を用いてＢＳＰＭ転送スロット周期の一番目のスロットを決定すると、図４に示すように、ＢＳＰＭスロット周期はＰ−ＢＣＣＨのフレームと同期化されることができる。
【００３６】
より詳細には、例えば、Ｐ−ＢＣＣＨスロット長が８０ｍｓで、Ｐ−ＢＣＣＨフレーム長が４０ｍｓである場合、それぞれのフレームが４０ｍｓの長さを持つシステム時間のＰ−ＢＣＣＨフレーム２個が、前記Ｐ−ＢＣＣＨスロットの長さに対応するために併合されることができる。
【００３７】
図５は、本発明の第３の実施例によるＰ−ＢＣＣＨを介してＢＳＰＭを転送する方法の一例を示す。図５で、ＢＳＰＭ＿ＰＥＲＩＯＤ＿ＩＮＤＥＸ値は２で、Ｐ−ＢＣＣＨスロット長は１６０ｍｓである。
【００３８】
本実施例において、システム時間（ｓｙｓｔｍｅ  ｔｉｍｅ）に該当するＰ−ＢＣＣＨフレーム長は４０ｍｓであり、Ｐ−ＢＣＣＨスロット長は１６０ｍｓであるので、図３に示すように、一対一対応が存在しない。このように、システム時間に関するＢＳＰＭ転送スロット周期の一番目のスロットは、式７を満足する時点と決定される。
【００３９】
【数１３】
2008536355.tif 000009
式７で、Ｂは、上記の式３のように決定され、ｔは、Ｐ−ＢＣＣＨフレームによるシステム時間（ｓｙｓｔｅｍ  ｔｉｍｅ）を表す。式７を用いてＢＳＰＭ転送スロット周期の最初スロットを決定すると、図５に示すように、ＢＳＰＭスロット周期はＰ−ＢＣＣＨのフレームと同期化されることができる。
【００４０】
例えば、Ｐ−ＢＣＣＨスロット長が１６０ｍｓの場合、それぞれのフレームが４０ｍｓの長さを持つシステム時間のＰ−ＢＣＣＨフレーム４個が、Ｐ−ＢＣＣＨスロットの長さに対応するために併合されることができる。
【００４１】
図６は、システム時間に対応するＰ−ＢＣＣＨフレームの長さが２０ｍｓである場合に、本発明の第４の実施例によるＰ−ＢＣＣＨを介したＢＳＰＭ転送方法の一例を示す。図３におけると同様に、図６で、ＢＳＰＭ＿ＰＥＲＩＯＤ＿ＩＮＤＥＸは２で、Ｐ−ＢＣＣＨスロット長は４０ｍｓである。
【００４２】
本実施例で、システム時間に対応するＰ−ＢＣＣＨフレームの長さが２０ｍｓで、Ｐ−ＢＣＣＨスロット長が４０ｍｓであるので、システム時間に関するＢＳＰＭ転送スロット周期の一番目のスロットは、式８を満足する時点と決定されることができる。
【００４３】
【数１４】
2008536355.tif 000010
式８で、Ｂは、式３のように決定され、ｔは、２０フレーム単位のシステム時間を表す。式８を用いてＢＳＰＭ転送スロット周期の一番目のスロットを決定すると、ＢＳＰＭスロット周期は、図６に示すように、Ｐ−ＢＣＣＨフレームと同期化されることができる。
【００４４】
より詳細には、例えば、Ｐ−ＢＣＣＨスロット長が４０ｍｓで、システム時間に対応するＰ−ＢＣＣＨフレームの長さが４０ｍｓである場合、一つのＰ−ＢＣＣＨフレームが、４０ｍｓ長さのＰ−ＢＣＣＨスロットに対応するために使われることができる。
【００４５】
図７は、システム時間に対応するＰ−ＢＣＣＨフレームの長さが２０ｍｓである場合に、本発明の第５の実施例によるＰ−ＢＣＣＨを介したＢＳＰＭ転送方法の一例を示す。図４におけると同様に、図７で、ＢＳＰＭ＿ＰＥＲＩＯＤ＿ＩＮＤＥＸは２で、Ｐ−ＢＣＣＨスロット長は８０ｍｓである。
【００４６】
本実施例で、システム時間に対応するＰ−ＢＣＣＨフレームの長さが４０ｍｓで、Ｐ−ＢＣＣＨスロット長が８０ｍｓであるので、システム時間に関するＢＳＰＭ転送スロット周期の一番目のスロットは、式９を満足する時点と決定されることができる。
【００４７】
【数１５】
2008536355.tif 000011
式９で、Ｂは、上記式３のように決定され、ｔは、２０フレーム単位のシステム時間を表す。式９を用いてＢＳＰＭ転送スロット周期の一番目のスロットを決定すると、ＢＳＰＭスロット周期は、図７に示すように、Ｐ−ＢＣＣＨフレームと同期化されることができる。
【００４８】
より詳細には、例えば、Ｐ−ＢＣＣＨスロット長が８０ｍｓで、システム時間に対応するＰ−ＢＣＣＨフレームの長さが４０ｍｓである場合、それぞれのフレームが４０ｍｓの長さを持つ２個のＢＣＣＨフレームが、８０ｍｓ長さのＰ−ＢＣＣＨスロットの長さに対応するために統合されることができる。
【００４９】
図８は、システム時間に対応するＰ−ＢＣＣＨフレームの長さが２０ｍｓである場合に、本発明の第６の実施例によるＰ−ＢＣＣＨを介したＢＳＰＭ転送方法の一例を示す。図５におけると同様に、図８で、ＢＳＰＭ＿ＰＥＲＩＯＤ＿ＩＮＤＥＸは２で、Ｐ−ＢＣＣＨスロット長は１６０ｍｓである。
【００５０】
本実施例で、システム時間に対応するＰ−ＢＣＣＨフレームの長さが４０ｍｓで、Ｐ−ＢＣＣＨスロット長が１６０ｍｓであるので、システム時間に関するＢＳＰＭ転送スロット周期の一番目のスロットは、式１０を満足する時点と決定されることができる。
【００５１】
【数１６】
2008536355.tif 000012
式１０で、Ｂは、式３のように決定され、ｔは、２０フレーム単位のシステム時間を表す。式１０を用いてＢＳＰＭ転送スロット周期の一番目のスロットを決定すると、ＢＳＰＭスロット周期は、図８に示すように、Ｐ−ＢＣＣＨフレームと同期化されることができる。
【００５２】
例えば、Ｐ−ＢＣＣＨスロット長が１６０ｍｓであるので、それぞれのフレームが４０ｍｓの長さを持つシステム時間に対応する４個のＰ−ＢＣＣＨフレームが、１６０ｍｓ長さのＰ−ＢＣＣＨスロットの長さに対応するために統合されることができる。
【００５３】
上記の説明ではＢＳＰＭがＢＣＣＨを介して転送されるとした。しかし、本発明がＢＣＣＨまたはＢＳＰＭに限定されることはない。本発明はまた、特定スロット周期に基づいて転送されるオーバーヘッドメッセージの制御チャネルを介した転送に適用されることができる。
【００５４】
本発明の技術的思想及び範囲を逸脱しない限度内で、本発明の様々な変形及び変移ができるということは、当該技術分野における通常の知識を持つ者にとっては自明である。したがって、本発明は、添付した特許請求の範囲及びその均等物の範囲内で提供されるいずれの変形及び変移も含む。
【図面の簡単な説明】
【００５５】
【図１】ＰＣＨを介してＢＳＰＭを転送する一方法を示す図である。
【図２】Ｐ−ＢＣＣＨを介してＢＳＰＭを転送する一方法を示す図である。
【図３】ＢＳＰＭ＿ＰＥＲＩＯＤ＿ＩＮＤＥＸが２で、Ｐ−ＢＣＣＨスロット長が４０ｍｓである場合に、Ｐ−ＢＣＣＨを介してＢＳＰＭを転送する方法の一例を示す図である。
【図４】ＢＳＰＭ＿ＰＥＲＩＯＤ＿ＩＮＤＥＸが２で、Ｐ−ＢＣＣＨスロット長が８０ｍｓである場合に、Ｐ−ＢＣＣＨを介してＢＳＰＭを転送する方法の一例を示す図である。
【図５】ＢＳＰＭ＿ＰＥＲＩＯＤ＿ＩＮＤＥＸが２で、Ｐ−ＢＣＣＨスロット長が１６０ｍｓである場合に、Ｐ−ＢＣＣＨを介してＢＳＰＭを転送する方法の一例を示す図である。
【図６】システム時間のＰ−ＢＣＣＨフレーム長が２０ｍｓである場合に、本発明の第４の実施例によってＰ−ＢＣＣＨを介してＢＳＰＭを転送する方法の一例を示す図である。
【図７】システム時間のＰ−ＢＣＣＨフレーム長が２０ｍｓである場合に、本発明の第５の実施例によってＰ−ＢＣＣＨを介してＢＳＰＭを転送する方法の一例を示す図である。
【図８】システム時間のＰ−ＢＣＣＨフレーム長が２０ｍｓである場合に、本発明の第６の実施例によってＰ−ＢＣＣＨを介してＢＳＰＭを転送する方法の一例を示す図である。
【図１】
2008536355.tif 000019
【図２】
2008536355.tif 000020
【図３】
2008536355.tif 000021
【図４】
2008536355.tif 000022
【図５】
2008536355.tif 000023
【図６】
2008536355.tif 000024
【図７】
2008536355.tif 000025
【図８】
2008536355.tif 000026
【国際調査報告】
2008536355.tif 000027
2008536355.tif 000028
2008536355.tif 000029